(57)【要約】【課題】  競技者個々のタイムを映像と共に記録することのできる競技用記録システム等を提供する。【解決手段】  映像記録装置２１は、タイマコンソール１１からグリップ時刻が供給されると、撮影装置２０が撮影した競技者の映像に、グリップ時刻を合成して記録する。一方、計時地点のタグコンソール１７は、無線タグ３０から計測タイムを受信できなかった場合に、その無線タグ３０のタグＩＤを含む未通過者情報を生成し、映像記録装置２１に供給する。映像記録装置２１は、この未通過者情報を取得すると、映像検索画面を表示し、競技役員等により指定される任意のグリップ時刻を受け付け、対象の映像を検索して表示する。そして、未通過者情報に対応する競技者ＲＮが特定されると、映像記録装置２１は、そのタグＩＤとグリップ時刻との組合せを登録情報として、データサーバ２２に送信する。【選択図】  図１
2006053655.tif 000002
【特許請求の範囲】
【請求項１】
競技者に携帯される計時機器と、当該計時機器から計測タイムを受信するコンソールと、競技者の映像を記録する記録装置と、を含む競技用記録システムであって、
前記コンソールは、
前記計時機器から計測タイムを受信できなかった場合に、前記計時機器の識別情報を含む未通過情報を生成して、前記記録装置に供給し、
前記記録装置は、
計時ラインを通過する競技者の映像を撮影する撮影手段と、
前記撮影手段により撮影された競技者の映像を記録する映像記録手段と、
前記計時機器が計時する時刻の同期元となる基準時刻を計時する所定の基準時刻計時装置から送られる、計時ラインを通過した競技者の通過タイムを取得する通過タイム取得手段と、
前記コンソールから供給される未通過情報を取得する未通過情報取得手段と、
前記未通過情報取得手段が未通過情報を取得した場合に、前記通過タイム取得手段が取得した通過タイムに対応する競技者の映像を、前記映像記録手段から検索する検索手段と、を備える、
ことを特徴とする競技用記録システム。
【請求項２】
前記映像記録手段は、前記通過タイム取得手段が取得した通過タイムを、撮影された競技者の映像に合成して記録し、
前記検索手段は、前記通過タイム取得手段が取得した通過タイムに基づいて、前記映像記録手段に記録された対象となる競技者の映像を検索する、
ことを特徴とする請求項１に記載の競技用記録システム。
【請求項３】
前記記録装置は、
前記未通過情報取得手段が取得した未通過情報に含まれる識別情報と、前記通過タイム取得手段が取得した通過タイムとの組合せを、外部の管理装置に登録する登録手段を更に備える、
ことを特徴とする請求項１又は２に記載の競技用記録システム。
【請求項４】
前記撮影手段は、複数に区分けされた撮影エリア毎に、競技者の映像を撮影し、
前記映像記録手段は、前記撮影手段により撮影された各撮影エリアの映像に、前記通過タイム取得手段が取得した通過タイムをそれぞれ合成して記録し、
前記検索手段は、前記映像記録手段に記録された同一の通過タイムとなる複数の映像を検索する、
ことを特徴とする請求項１〜３の何れか１項に記載の競技用記録システム。
【請求項５】
競技者に携帯される計時機器と、当該計時機器から計測タイムを受信するコンソールと、競技者の映像を記録する記録装置と、を含むシステムにおける記録装置の競技映像記録方法であって、
計時ラインを通過する競技者の映像を撮影する撮影ステップと、
前記撮影ステップにて撮影された競技者の映像を記録する映像記録ステップと、
計時機器が計時する時刻の同期元となる基準時刻を計時する所定の基準時刻計時装置から送られる、計時ラインを通過した競技者の通過タイムを取得する通過タイム取得ステップと、
前記通過タイム取得ステップにて取得した通過タイムを、
計測タイムを受信できなかった場合にコンソールから供給される未通過情報を取得する未通過情報取得ステップと、
前記未通過情報取得ステップにて未通過情報を取得した場合に、前記通過タイム取得ステップにて取得した通過タイムに対応する競技者の映像を、前記映像記録ステップにて記録された映像から検索する検索ステップと、
とを備えることを特徴とする競技映像記録方法。
【発明の詳細な説明】
【技術分野】
【０００１】
この発明は、競技者個々のタイムを映像と共に記録することのできる競技用記録システムおよび、競技映像記録方法に関する。
【背景技術】
【０００２】
近年、マラソン競技等において、競技者個々のタイムを計測する試みがなされている。例えば、競技者のゼッケン等にバーコードを印刷しておき、ゴールした競技者のバーコードをリーダにて読み取った時刻に基づいて、競技者個々のタイムを計測する計測システムも実用化されている。
それでもこの計測システムは、ゴール後に所定時間かけてバーコードの読み取りを行うため、そもそも実測よりも遅れたタイムが計測されていた。特に、大勢の競技者が同時期にゴールした場合等では、バーコードの読み取り待ちが生じてしまい、実測よりもかなり遅れたタイムが計測されてしまうという問題があった。
また、ゴールしたタイムだけでなく、各計時ライン（中間地点等）における通過タイムの計測も行いたいという要望が高まっているが、この計測システムでは、対応できなかった。
【０００３】
また最近では、ゴール時点の競技者の画像に、計測タイム（ゴールしたタイム等）を合成した完走証を発行できる技術も開示されている（例えば、特許文献１参照）。
【特許文献１】特許第３０６９７２３号公報  （第２−３頁、第１図）
【発明の開示】
【発明が解決しようとする課題】
【０００４】
上述の特許文献１に開示される計時装置は、ゴール判定員が計時スイッチを手動で操作した際に、通し番号（順位）及び、計測タイムを含む第１のセットデータが生成され、それと共に、ゴール時点の競技者も撮影される。また、競技者のゼッケン番号がＯＣＲやバーコードにより識別され、通し番号及び、ゼッケン番号を含む第２のセットデータが生成される。更に、通し番号が一致する各セットデータから、通し番号、ゼッケン番号及び、計測タイムを含む第３のセットデータが生成される。そして、この第３のセットデータの内容がゴール時点の競技者の画像と合成される。
このような計時装置は、ゴールした競技者の計測タイムが計時スイッチに応答して計測済みであるため、大勢の競技者が同時期にゴールし、ゼッケン番号の識別が遅くなったとしても、遅れたタイムが計測されることがない。
【０００５】
しかしながら、ゴール判定員が計時スイッチの操作をミスしたり、ゼッケン番号を識別する順序が前後したり、ゼッケン番号の認識漏れや重複が生じてしまった場合等では、競技者の画像に異なったゼッケン番号や異なった計測タイムが合成されるおそれもある。
また、そもそも計時スイッチの操作が手動であり、ゴールした競技者の数だけ操作しなければならないため、ゴール判定員等にかなりの負担を強いるものであった。
【０００６】
本発明は、上記実状に鑑みてなされたもので、競技者個々のタイムを映像と共に記録することのできる競技用記録システムおよび、競技映像記録方法を提供することを目的とする。
【課題を解決するための手段】
【０００７】
上記目的を達成するため、本発明の第１の観点に係る競技用記録システムは、
競技者に携帯される計時機器と、当該計時機器から計測タイムを受信するコンソールと、競技者の映像を記録する記録装置と、を含む競技用記録システムであって、
前記コンソールは、
前記計時機器から計測タイムを受信できなかった場合に、前記計時機器の識別情報を含む未通過情報を生成して、前記記録装置に供給し、
前記記録装置は、
計時ラインを通過する競技者の映像を撮影する撮影手段と、
前記撮影手段により撮影された競技者の映像を記録する映像記録手段と、
前記計時機器が計時する時刻の同期元となる基準時刻を計時する所定の基準時刻計時装置から送られる、計時ラインを通過した競技者の通過タイムを取得する通過タイム取得手段と、
前記コンソールから供給される未通過情報を取得する未通過情報取得手段と、
前記未通過情報取得手段が未通過情報を取得した場合に、前記通過タイム取得手段が取得した通過タイムに対応する競技者の映像を、前記映像記録手段から検索する検索手段と、を備える、
ことを特徴とする。
【０００８】
この発明によれば、記録装置において、撮影手段は、計時ラインを通過する競技者の映像を撮影する。映像記録手段は、撮影手段により撮影された競技者の映像を記録する。通過タイム取得手段は、計時機器が計時する時刻の同期元となる基準時刻を計時する基準時刻計時装置から送られる、計時ラインを通過した競技者の通過タイム（例えば、グリップスイッチにより計時役員等が計時するグリップ時刻等）を取得する。未通過情報取得手段は、コンソールから供給される未通過情報を取得する。そして、検索手段は、未通過情報取得手段が未通過情報を取得した場合に、通過タイム取得手段が取得した通過タイムに対応する競技者の映像を、映像記録手段から検索する。
この結果、競技者個々のタイムを映像と共に記録することができる。
【０００９】
前記映像記録手段は、前記通過タイム取得手段が取得した通過タイムを、撮影された競技者の映像に合成して記録し、
前記検索手段は、前記通過タイム取得手段が取得した通過タイムに基づいて、前記映像記録手段に記録された対象となる競技者の映像を検索してもよい。
【００１０】
前記記録装置は、
前記未通過情報取得手段が取得した未通過情報に含まれる識別情報と、前記通過タイム取得手段が取得した通過タイムとの組合せを、外部の管理装置に登録する登録手段を更に備えてもよい。
【００１１】
前記撮影手段は、複数に区分けされた撮影エリア毎に、競技者の映像を撮影し、
前記映像記録手段は、前記撮影手段により撮影された各撮影エリアの映像に、前記通過タイム取得手段が取得した通過タイムをそれぞれ合成して記録し、
前記検索手段は、前記映像記録手段に記録された同一の通過タイムとなる複数の映像を検索してもよい。
【００１２】
上記目的を達成するため、本発明の第２の観点に係る競技映像記録方法は、
競技者に携帯される計時機器と、当該計時機器から計測タイムを受信するコンソールと、競技者の映像を記録する記録装置と、を含むシステムにおける記録装置の競技映像記録方法であって、
計時ラインを通過する競技者の映像を撮影する撮影ステップと、
前記撮影ステップにて撮影された競技者の映像を記録する映像記録ステップと、
計時機器が計時する時刻の同期元となる基準時刻を計時する所定の基準時刻計時装置から送られる、計時ラインを通過した競技者の通過タイムを取得する通過タイム取得ステップと、
前記通過タイム取得ステップにて取得した通過タイムを、
計測タイムを受信できなかった場合にコンソールから供給される未通過情報を取得する未通過情報取得ステップと、
前記未通過情報取得ステップにて未通過情報を取得した場合に、前記通過タイム取得ステップにて取得した通過タイムに対応する競技者の映像を、前記映像記録ステップにて記録された映像から検索する検索ステップと、
とを備えることを特徴とする。
【００１３】
この発明によれば、撮影ステップは、計時ラインを通過する競技者の映像を撮影する。映像記録ステップは、撮影ステップにて撮影された競技者の映像を記録する。通過タイム取得ステップは、計時機器が計時する時刻の同期元となる基準時刻を計時する所定の基準時刻計時装置から送られる、計時ラインを通過した競技者の通過タイム（例えば、グリップスイッチにより計時役員等が計時するグリップ時刻等）を取得する。未通過情報取得ステップは、コンソールが計時機器から計測タイムをポーリング受信できなかった場合に供給される未通過情報を取得する。検索ステップは、未通過情報取得ステップにて未通過情報を取得した場合に、通過タイム取得ステップにて取得した通過タイムに対応する競技者の映像を、映像記録ステップにて記録された映像から検索する。
この結果、競技者個々のタイムを映像と共に記録することができる。
【発明の効果】
【００１４】
本発明によれば、競技者個々のタイムを映像と共に記録することができる。
【発明を実施するための最良の形態】
【００１５】
本発明の実施の形態にかかる競技用記録システムについて、以下図面を参照して説明する。なお、一例として、マラソン競技において複数地点にてタイムの計測等を行う競技用記録システムとして説明する。
【００１６】
（実施形態１）
図１は、この発明の実施の形態に適用される競技用記録システム１の構成の一例を示す模式図である。なお、以下ではタイムの計測を行う中継地点やゴール地点を、便宜的にまとめて計時地点として説明する。つまり、計時地点は、中継地点やゴール地点を示すものとする。また、ゴール地点がスタート地点と異なる場合について説明する。
【００１７】
図示するように、競技用記録システム１は、スタート地点に設置されたタイマコンソール１１、ＧＰＳ受信機１２、無線通信端末１３、時刻表示装置１４、ランニングタイム送信機１５、タグＩＤ受信機１６、及び、タグコンソール１７と、計時地点（中継地点やゴール地点）に設置されたタイマコンソール１１、ＧＰＳ受信機１２、無線通信端末１３、時刻表示装置１４、ランニングタイム送信機１５、タグＩＤ受信機１６、タグコンソール１７、トリガ信号発生装置１８、計測タイム受信機１９、撮影装置２０、映像記録装置２１、及び、データサーバ２２と、各競技者ＲＮにそれぞれ携帯される無線タグ３０と、を含んで構成される。
【００１８】
なお、スタート地点のタイマコンソール１１には、スタートピストルＳＰが接続されており、また、計時地点のタイマコンソール１１には、グリップスイッチＧＳが接続されている。
スタートピストルＳＰは、スタータの操作に応答して、スタート信号をスタート地点のタイマコンソール１１に供給する。また、グリップスイッチＧＳは、計時役員等の操作に応答して、グリップ信号を計時地点のタイマコンソール１１に供給する。
【００１９】
タイマコンソール１１は、ＣＰＵ（Central Processing Unit）等の制御部、ＲＡＭ（Random Access Memory）等のメモリ、ＬＣＤ（Liquid Crystal Display）等の表示部、ランニングタイムを計時するタイマ、及び、キーボード等の操作部を含んで構成される。
タイマコンソール１１は、競技のスタート前までに時刻同期の処理を実行し、ＧＰＳ受信機１２が受信した標準時刻に同期した現在時刻の計時を始める。
【００２０】
そして、スタート地点のタイマコンソール１１は、競技のスタートに伴って、スタートピストルＳＰからスタート信号が入力されると、その時刻をスタート時刻（時刻情報）として自己のメモリに保持すると共に、無線通信端末１３を制御して、スタート時刻を計時地点のタイマコンソール１１に向けて送信する。
一方、計時地点のタイマコンソール１１は、スタート地点の無線通信端末１３から送られたスタート時刻を無線通信端末１３にて受信すると、そのスタート時刻を無線通信端末１３から取得して自己のメモリに保持する。
タイマコンソール１１は、このようにしてスタート時刻を自己のメモリに保持した後に、自己のタイマが計時する現在時刻と保持しているスタート時刻との差に基づいて、ランニングタイムを順次生成し、タイム情報として時刻表示装置１４に供給する。
また、計時地点のタイマコンソール１１は、グリップスイッチＧＳからグリップ信号が入力されると、その時刻をグリップ時刻（時刻情報）として映像記録装置２１等に供給する。
【００２１】
ＧＰＳ（Global Positioning System）受信機１２は、ＧＰＳ衛星から送信される標準時刻（ＧＰＳ時刻）を受信し、受信した標準時刻をタイマコンソール１１に供給する。
【００２２】
無線通信端末１３は、公衆回線（移動体通信網等）を介して他の無線通信端末１３との間でデータ通信が可能な携帯電話等からなる。
そして、スタート地点の無線通信端末１３は、タイマコンソール１１から供給されたスタート時刻を含む通信データを、計時地点の無線通信端末１３に送信する。
一方、計時地点の無線通信端末１３は、スタート地点の無線通信端末１３から送られたスタート時刻を受信し、受信したスタート時刻をタイマコンソール１１に供給する。
【００２３】
時刻表示装置１４は、電光掲示板等からなり、タイマコンソール１１から順次供給されるタイム情報に従って、ランニングタイム等を表示する。
【００２４】
ランニングタイム送信機１５は、各競技者ＲＮ（各無線タグ３０）に向けて、タイマコンソール１１が計時しているランニングタイム等を送信して、無線タグ３０が計時する時刻を適宜補正（又は設定）させる。
具体的にスタート地点のランニングタイム送信機１５は、スタート直後に全ての無線タグ３０に向けて、ブロードキャストにて一斉にランニングタイム及び、しきい値ｎを含む情報を送信する。このしきい値ｎとは、送信されたランニングタイムの正確さを無線タグ３０にて判別するために使用される値である。
なお、スタート地点のランニングタイム送信機１５は、無線タグ３０に最初に時刻を設定させるため、連続して複数回（例えば、１秒間隔で３回以上）に渡り、ランニングタイム等を送信する。
一方、計時地点のランニングタイム送信機１５は、走行する競技者ＲＮからみて計時ライン（後述する計時ラインＬ）より手前に配置されており、近傍に位置する競技者ＲＮの無線タグ３０に向けて、ランニングタイムを含む情報を送信する。
なお、スタート地点のランニングタイム送信機１５は、スタート前に、動作確認のために現在時刻等のテストデータを各無線タグ３０に向けて送信する。
【００２５】
タグＩＤ受信機１６は、ランニングタイム送信機１５が送信したランニングタイムに応答して無線タグ３０から返信されるタグＩＤ（無線タグ３０に固有の識別情報）を受信する。そして、受信したタグＩＤをタグコンソール１７に供給する。
なお、計時地点のタグＩＤ受信機１６も、ランニングタイム送信機１５と同様に、走行する競技者ＲＮからみて計時ラインより手前に配置されており、競技者ＲＮが後述する計測ゾーンＺに到達する前に、無線タグ３０から返信されるタグＩＤを受信する。
また、スタート地点のタグＩＤ受信機１６は、スタート前に、動作確認のためのテストデータ（現在時刻等）に応答して無線タグ３０から返信されるタグＩＤも受信する。
【００２６】
タグコンソール１７は、ＣＰＵ等の制御部、ＲＡＭ等のメモリ、ＬＣＤ等の表示部、及び、キーボード等の操作部を含んで構成され、無線タグ３０から送信される情報等を管理する。
なお、スタート地点のタグコンソール１７は、タグＩＤ受信機１６から供給されるタグＩＤだけを管理し、また、計時地点のタグコンソール１７は、タグＩＤ受信機１６から供給されるタグＩＤ及び、計測タイム受信機１９から供給される計測タイム等も管理する。
具体的にスタート地点のタグコンソール１７は、スタート後に取得した各タグＩＤから、各競技者ＲＮの競技スタートを確認する。なお、スタート前にテストデータに対するタグＩＤが取得されない場合に、そのタグＩＤを送信するはずの無線タグ３０が故障や電池切れの可能性があるため、適宜交換等が行われる。
【００２７】
また、計時地点のタグコンソール１７は、自己のメモリ内に図２に示すようなポーリングリストを適宜生成し、計測タイム受信機１９を制御して無線タグ３０から計測タイム等を受信させる。
具体的に計時地点のタグコンソール１７は、タグＩＤ受信機１６からタグＩＤを取得すると、図２に示すポーリングリストにそのタグＩＤを登録する。なお、タグＩＤが取得できなかった（タグＩＤ受信機１６がタグＩＤを受信できなかった）場合に、タグコンソール１７は、操作部からの入力によって、対象となるタグＩＤをポーリングリストに登録することも可能となっている。
【００２８】
そして、計測ゾーンＺを通過した競技者ＲＮの無線タグ３０からタグＩＤ及び、計測タイムを含む情報が送られると、計時地点のタグコンソール１７は、計測タイム受信機１９を介して計測タイム等を取得する。タグコンソール１７は、取得した計測タイムを、タグＩＤと共にデータサーバ２２に送信する。計測タイム等をデータサーバ２２に送信後、タグコンソール１７は、対応するタグＩＤをポーリングリストから削除する。
ここで、ポーリングリストから削除されずに残っているタグＩＤがある場合、タグコンソール１７は、計測タイム受信機１９を制御し、ポーリング受信により対象の無線タグ３０から計測タイム等を取得する。なお、計測タイム等をできなかった場合、タグコンソール１７は、そのタグＩＤを含む未通過者情報を生成し、映像記録装置２１に送信する。つまり、そのタグＩＤに対応する競技者ＲＮを未通過者として映像記録装置２１に通知し、計測タイム（グリップ時刻）の特定（判定）等を要求する。
【００２９】
計時地点に設置されるトリガ信号発生装置１８は、例えば、走行路の沿道から計時ポイントとなる計時ラインＬに向けて設置され、計時ラインＬを中心とした所定範囲の計測ゾーンＺ内において、トリガ信号を発する。
一例として、トリガ信号発生装置１８は、２４ＧＨｚのマイクロ波を発生させ、所定のパラボラアンテナにより計測ゾーンＺ内に向けてトリガ信号を送信する。なお、トリガ信号発生装置１８は、トリガ信号の指向性が得られ、同様に計測ゾーンＺ内に向けてトリガ信号を送信できればよいため、ＵＷＢ（Ultra Wide Band）等の通信技術を適用してもよい。
【００３０】
計時地点に設置される計測タイム受信機１９は、近傍に位置する（計測ゾーンＺを通過した後の）競技者ＲＮの無線タグ３０から送られる計測タイム等を受信する。また、計測タイム受信機１９は、タグコンソール１７の制御に従って、ポーリングにて無線タグ３０から計測タイム等を受信する。
具体的に計測タイム受信機１９は、無線タグ３０から送られるはずの計測タイムを受信できない場合に、タグコンソール１７により制御され、ポーリングリスト（削除されずに残っているタグＩＤ）に従って対象の無線タグ３０に計測タイムの送信を要求し、応答して無線タグ３０から送信される計測タイム等を受信する。
【００３１】
計時地点に設置される撮影手段としての撮影装置２０は、例えば、ビデオカメラ等からなり、計時ラインＬを通過する競技者ＲＮの映像を撮影する。
具体的に撮影装置２０は、走行する競技者ＲＮからみてトリガ信号発生装置１８よりも遠方に配置され、競技者ＲＮのゼッケン番号や顔等が分かるように、競技者ＲＮの正面（前面）の映像を撮影する。そして、撮影した映像（映像信号）を映像記録装置２１に供給する。
【００３２】
計時地点に設置される映像記録装置２１は、映像記録機器等からなり、撮影装置２０から供給される映像（映像信号）に、タイマコンソール１１から供給されるグリップ時刻やランニングタイム等のタイムデータを合成して（同期させて）、記録する。
具体的に映像記録装置２１は、図３に示すように、映像入力部２１ａと、通過タイム取得手段としてのグリップ時刻取得部２１ｂと、映像記録手段としての記録部２１ｃと、未通過情報取得手段としての情報取得部２１ｄと、操作部２１ｅと、表示部２１ｆと、検索手段としての検索部２１ｇと、登録手段としての登録部２１ｈと、を含んで構成される。
【００３３】
映像入力部２１ａは、撮影装置２０により撮影され、そして供給される映像を入力する。
グリップ時刻取得部２１ｂは、タイマコンソール１１から供給されるグリップ時刻を取得する。
【００３４】
記録部２１ｃは、グリップ時刻取得部２１ｂが取得したグリップ時刻を、映像入力部２１ａが入力した映像（競技者ＲＮの映像）に合成して記録する。
情報取得部２１ｄは、タグコンソール１７から供給される未通過者情報を取得する。つまり、タグコンソール１７が無線タグ３０から計測タイムをポーリングしても受信できなかった場合に供給される未通過者情報を取得する。
【００３５】
操作部２１ｅは、競技役員等の操作に従って、所定の操作指示を入力する。
表示部２１ｆは、映像入力部２１ａが入力した映像等をリアルタイムに表示するだけでなく、記録部２１ｃに記録された映像を検索部２１ｇに検索させるための映像検索画面等を表示する。
例えば、情報取得部２１ｄが未通過者情報を取得した場合に、表示部２１ｆは、図４（ａ）に示すようなグリップ時刻の一覧を含む映像検索画面を表示し、また、操作部２１ｅは、競技役員等により指定される任意のグリップ時刻を受け付ける。そして、検索部２１ｇにより映像の検索がなされると、表示部２１ｆは、図４（ｂ）に示すようなグリップ時刻が合成された競技者ＲＮの映像を表示する。
【００３６】
検索部２１ｇは、操作部２１ｅにより指定されたグリップ時刻をキーにして、記録部２１ｃに記録された映像を検索する。つまり、指定されたグリップ時刻が合成された競技者ＲＮの映像を検索し（映像の頭出しを行い）、表示部２１ｆに表示する。ここで、競技役員等は、未通過者情報（タグＩＤ）に対応する競技者ＲＮを、映像中のゼッケン番号や顔等により特定する。
登録部２１ｈは、検索部２１ｇにより検索された競技者ＲＮの映像が表示部２１ｆに表示され、競技役員等により、未通過者情報（タグＩＤ）に対応する競技者ＲＮとして特定されると、そのタグＩＤとグリップ時刻との組合せを登録情報として、データサーバ２２に送信する。
【００３７】
計時地点に設置されるデータサーバ２２は、タグコンソール１７や映像記録装置２１等から適宜データを取得し、公式タイムや着順等の判定を行う。
また、競技のスタートに先立って、データサーバ２２は、所定の操作部から、競技者ＲＮの選手情報や使用される無線タグ３０のタグＩＤ等が入力されると、これらの情報を関連付けて記憶し、タイマコンソール１１、タグコンソール１７、及び、映像記録装置２１に適宜供給する。
また、映像記録装置２１から、未通過者のタイムを登録する登録情報が送信されると、リザルト情報等を更新し、更新結果に基づいた公式タイム等をタイマコンソール１１に供給する。
【００３８】
競技者ＲＮに携帯される計時機器としての無線タグ３０は、スタート地点や計時地点のランニングタイム送信機１５から送信されるランニングタイム等を受信して、ランニングタイムに同期した時刻を計時する。そして、計時地点のトリガ信号発生装置１８から発せられるトリガ信号を検出して、計時ラインＬにおける計測タイムを特定し、計測ゾーンＺを通過後に、計測タイム受信機１９へ計測タイムを送信する。なお、無線タグ３０は、計測タイム受信機１９からのポーリングに応じても、計測タイムを送信する。
具体的に無線タグ３０は、図５に示すように、アンテナ３１と、受信ユニット３２と、タイム補正ユニット３３と、計時ユニット３４と、トリガアンテナ３５と、トリガ検出ユニット３６と、タイム特定ユニット３７と、記憶部３８と、送信ユニット３９と、から構成される。
【００３９】
アンテナ３１は、送受信用のアンテナである。
受信ユニット３２は、アンテナ３１を介して、ランニングタイム送信機１５から送信されるランニングタイム等を受信する。
具体的に受信ユニット３２は、スタート直後にスタート地点のランニングタイム送信機１５から送信されるランニングタイム及び、しきい値ｎを含む情報を受信する。なおこの際、ランニングタイム送信機１５からは、連続して複数回（例えば、１秒間隔で３回以上）に渡って送信されるランニングタイム等を受信する。
また、受信ユニット３２は、計時地点のランニングタイム送信機１５から送信されるランニングタイムを含む情報を受信する。
そして、受信ユニット３２は、受信したランニングタイム等をタイム補正ユニット３３に供給する。
この他にも受信ユニット３２は、計時地点の計測タイム受信機１９から計測タイムの送信要求（ポーリング）を受信する。そして、受信した送信要求を送信ユニット３９に供給する。
【００４０】
タイム補正ユニット３３は、計時地点にて受信ユニット３２が受信したランニングタイムに基づいて、計時ユニット３４が計時するランニングタイムを補正する。
なお、競技スタート時点では、それまで計時ユニット３４にランニングタイムが未設定であったため、タイム補正ユニット３３は、スタート地点にてランニングタイム送信機１５から送られるランニングタイムを、受信ユニット３２が例えば、１秒間隔で３回以上受信した後に、正当なランニングタイムを計時ユニット３４に設定する。
なおこの際、タイム補正ユニット３３は、スタート地点のランニングタイム送信機１５からランニングタイムと共に送られたしきい値ｎを記憶部３８に記憶する。
【００４１】
また、計時地点において、計時地点で受信したランニングタイムと計時ユニット３４にて計時したランニングタイムとの時差が、記憶部３８に記憶したしきい値ｎよりも大きい場合に、タイム補正ユニット３３は、タイム補正を行わない。これは、何らかの原因により、送信されたランニングタイム又は受信されたランニングタイムに文字化け等が生じてしまっていることが考えられるため、タイム補正ユニット３３は、不正確と思われるランニングタイムをそのまま破棄する。
【００４２】
計時ユニット３４は、タイム補正ユニット３３により適宜補正（設定）され、受信ユニット３２が受信したランニングタイムに同期したランニングタイムを計時する。
計時ユニット３４は、高安定水晶発振器を備えており、ランニングタイムの計時を安定して維持することが可能となっている。
【００４３】
トリガアンテナ３５は、トリガ信号発生装置１８が発するマイクロ波に同調し、トリガ信号を受信する。
トリガ検出ユニット３６は、トリガアンテナ３５を介して、トリガ信号を検出する。そして、検出結果をタイム特定ユニット３７に通知する。例えば、トリガ検出ユニット３６は、トリガ信号のＯＮタイミング（トリガ信号を検出していない状態から最初にトリガ信号を検出したタイミング）、及び、トリガ信号のＯＦＦタイミング（トリガ信号を検出していた状態から検出を終えたタイミング）を、タイム特定ユニット３７に通知する。
【００４４】
タイム特定ユニット３７は、トリガ検出ユニット３６が検出したトリガ信号に基づいて計測ゾーンＺを判別し、計測ゾーンＺ内において計時ユニット３４が計時したランニングタイムを計測タイムとして特定する。
例えば、タイム特定ユニット３７は、競技者ＲＮが計測ゾーンＺに到達し、トリガ信号のＯＮタイミングがトリガ検出ユニット３６から通知されると、計時ユニット３４が計時しているランニングタイムを開始時間として、記憶部３８に記憶する。その後、競技者ＲＮが計測ゾーンＺを通過し、トリガ信号のＯＦＦタイミングがトリガ検出ユニット３６から通知されると、計時ユニット３４が計時しているランニングタイムを終了時間として、記憶部３８に記憶する。そして、タイム特定ユニット３７は、開始時間と終了時間との中間値を求め、競技者ＲＮが計時ラインＬを通過した計測タイムとして特定する。
タイム特定ユニット３７は、開始時間及び終了時間を記憶部３８から消去し、特定した計測タイムを記憶部３８に記憶する。
【００４５】
記憶部３８は、受信ユニット３２が受信したしきい値ｎや、タイム特定ユニット３７が特定した計測タイム等を記憶する。
また、記憶部３８は、無線タグ３０毎（競技者ＲＮ毎）に異なる固有のタグＩＤを予め記憶している。
【００４６】
送信ユニット３９は、受信ユニット３２がランニングタイムを受信した際に、その応答として、記憶部３８から読み出したタグＩＤをタグＩＤ受信機１６に向けて送信する。その際、コリジョンの発生を抑えるために、無線タグ３０毎に定められた異なる応答タイミングにて、タグＩＤを送信する。また、複数の無線のチャンネルを使用可能とし、各無線タグ３０を異なるチャンネルに割り振ることで、コリジョンの発生を抑えてもよい。
また、送信ユニット３９は、記憶部３８からタグＩＤ及び、計測タイムを読み出して、計測タイム受信機１９に送信する。この際、送信ユニット３９は、他の無線タグ３０の送信を考慮してタイミングをずらしたり、異なるチャンネルのバンドにて計測タイム等を送信してもよい。
なお、送信ユニット３９は、受信ユニット３２が計測タイムの送信要求（ポーリング）を受信した場合にも、記憶部３８からタグＩＤ及び、計測タイムを読み出して、計測タイム受信機１９に送信する。
【００４７】
以下、上述した構成の競技用記録システム１の動作について、図面を参照して説明する。
最初に図６を参照して、競技のスタートから、計時地点のタグコンソール１７がポーリングリストを生成するまでの動作について簡単に説明する。
【００４８】
まず、スタート直後に、図６（ａ）に示すように、スタート地点のランニングタイム送信機１５は、無線タグ３０に向けて、連続して複数回（例えば、１秒間隔で３回以上）に渡ってランニングタイムを送信する（Ｔ１）。
【００４９】
無線タグ３０は、複数のランニングタイムから正当なランニングタイムを特定し、特定したランニングタイムを計時ユニット３４に設定する（Ｔ２）。なお、無線タグ３０は、ランニングタイムと共に送られたしきい値ｎを記憶部３８に記憶する。
そして、無線タグ３０は、受信したランニングタイムの応答として、自己のタグＩＤをタグＩＤ受信機１６に送信する（Ｔ３）。
【００５０】
スタート地点のタグコンソール１７は、タグＩＤ受信機１６が受信したタグＩＤに基づいて、競技者ＲＮのスタートを確認する。
【００５１】
その後、競技者ＲＮが計時地点（計測ゾーンＺの手前）まで走行すると、図６（ｂ）に示すように、計時地点のランニングタイム送信機１５は、無線タグ３０にランニングタイム等を送信する（Ｔ４）。
【００５２】
無線タグ３０は、受信したランニングタイムの正当性を判別した後、計時ユニット３４の時刻を補正する（Ｔ５）。
具体的に無線タグは、ランニングタイムを受信すると、自己が計時しているランニングタイムとの時差を求める。そして、求めた時差としきい値ｎとを比較して、ランニングタイムが正確であるか否かを判別する。
ここで、無線タグ３０は、求めた時差がしきい値ｎより大きくない（しきい値ｎ以内である）場合に、自己のランニングタイムを補正する。
一方、求めた時差がしきい値ｎより大きい場合に、無線タグ３０は、不正確と思われるランニングタイムをそのまま破棄する。
そして、無線タグ３０は、受信したランニングタイムの応答として、自己のタグＩＤをタグＩＤ受信機１６に送信する（Ｔ６）。
【００５３】
計時地点のタグコンソール１７は、無線タグ３０から送られたタグＩＤを受信すると、このタグＩＤをポーリングリストに登録する（Ｔ７）。
なお、タグコンソール１７は、操作部から手動によるタグＩＤの入力があった場合にも、このタグＩＤをポーリングリストに登録する。つまり、タグコンソール１７が、タグＩＤが取得できなかった（タグＩＤ受信機１６がタグＩＤを受信できなかった）場合に、計時役員等は、タグコンソール１７を操作して、検出できなかったタグＩＤ（対象となる競技者ＲＮの無線タグ３０に対応するタグＩＤ）を手動で入力する。
【００５４】
このようにして、競技者ＲＮが計測ゾーンＺに到達する前までに、ポーリングリストが生成され、タグコンソール１７に登録される。
【００５５】
次に、図７を参照して、ポーリングリストを生成したタグコンソール１７が行う計測タイムを取得する動作について説明する。図７は、計時地点のタグコンソール１７が実行する計測タイム取得処理を説明するためのフローチャートである。
【００５６】
まず、計時地点のタグコンソール１７は、計測タイムを受信したか否かを判別する（ステップＳ１１）。つまり、タグコンソール１７は、計測ゾーンＺを競技者ＲＮが通過した場合に無線タグ３０から送られる計測タイム等を受信したか否かを判別する。
計時地点のタグコンソール１７は、計測タイムを受信していないと判別すると、後述するステップＳ１４に処理を進める。
【００５７】
一方、計測タイムを受信した場合に、タグコンソール１７は、受信した計測タイムをデータサーバ２２に送信する（ステップＳ１２）。つまり、タグコンソール１７は、取得した計測タイムを、タグＩＤと共にデータサーバ２２に送信する。
【００５８】
タグコンソール１７は、ポーリングリストから対象のタグＩＤを削除する（ステップＳ１３）。すなわち、計測タイムの取得を終えて不要となった無線タグ３０のタグＩＤをポーリングリストから削除する。
【００５９】
タグコンソール１７は、ポーリングリストに登録されてから一定時間が経過したタグＩＤがあるか否かを判別する（ステップＳ１４）。すなわち、一定時間が経過してもポーリングリストから削除されずに残っているタグＩＤがあるか否かを判別する。
タグコンソール１７は、一定時間が経過したタグＩＤがないと判別すると、上述のステップＳ１１に処理を戻す。
【００６０】
一方、一定時間が経過したタグＩＤがあると判別した場合に、タグコンソール１７は、計測タイム受信機１９に計測タイムをポーリング受信させる（ステップＳ１５）。つまり、タグコンソール１７は、計測タイム受信機１９を制御して対象となる無線タグ３０に計測タイムの送信を要求させる。
【００６１】
タグコンソール１７は、計測タイムを受信したか否かを判別する（ステップＳ１６）。つまり、タグコンソール１７は、ポーリングにより、その無線タグ３０から計測タイム等を受信できたか否かを判別する。
【００６２】
タグコンソール１７は、計測タイムを受信できた場合に、データサーバ２２に計測タイムを送信し、そして、ポーリングリストから対象のタグＩＤを削除する（ステップＳ１７）。
【００６３】
一方、計測タイムを受信できなかった場合に、タグコンソール１７は、そのタグＩＤを含む未通過者情報を生成し、映像記録装置２１に供給する（ステップＳ１８）。つまり、そのタグＩＤに対応する競技者ＲＮを未通過者として映像記録装置２１に通知し、計測タイム（グリップ時刻）の特定（判定）等を要求する。
【００６４】
そして、タグコンソール１７は、他のタグＩＤがポーリングリストに登録されているか否かを判別する（ステップＳ１９）。
タグコンソール１７は、他のタグＩＤがあると判別すると、ステップＳ１１に処理を戻し、上述したステップＳ１１〜Ｓ１９の処理を繰り返し実行する。
一方、他のタグＩＤがないと判別した場合に、タグコンソール１７は、計測タイム取得処理を終了する。
【００６５】
このように、計時地点のタグコンソール１７が行う計測タイム取得処理により、各無線タグ３０から順次送られる計測タイムを取得できる。また、計測タイムを取得できないまま、ポーリングリストから削除されずに残っているタグＩＤがあれば、ポーリング受信によっても計測タイムを取得できる。
それでもなお、計測タイムを取得できない場合、未通過者情報が生成されて映像記録装置２１に送信される。
【００６６】
次に、図８を参照して、未通過者情報が送信され得る映像記録装置２１が行うバックアップ動作について説明する。図８は、映像記録装置２１が実行する競技映像記録処理を説明するためのフローチャートである。
【００６７】
まず、映像記録装置２１は、撮影装置２０により撮影され、そして供給される映像を入力する（ステップＳ２１）。
映像記録装置２１は、グリップ時刻を取得したか否かを判別する（ステップＳ２２）。つまり、競技者ＲＮが計時ラインＬを通過し、タイマコンソール１１に接続されたグリップスイッチＧＳが計時役員等により押下されたか否かを判別する。
映像記録装置２１は、グリップ時刻を取得していないと判別すると、後述するステップＳ２４に処理を進める。
【００６８】
一方、グリップ時刻を取得したと判別した場合に、映像記録装置２１は、グリップ時刻を示す文字情報を生成し、撮影装置２０が撮影した映像に合成する（ステップＳ２３）。
つまり、撮影装置２０により撮影された計時ラインＬを通過した競技者ＲＮの映像に、グリップ時刻を合成する。
【００６９】
映像記録装置２１は、撮影装置２０が撮影した映像を順次記録する（ステップＳ２４）。なおこの際、映像にランニングタイム等を合成して記録してもよい。
【００７０】
映像記録装置２１は、未通過者情報を取得したか否かを判別する（ステップＳ２５）。つまり、上述した図７の計測タイム取得処理を行うタグコンソール１７により未通過者情報が生成されて、自己に供給されたか否かを判別する。
映像記録装置２１は、未通過者情報を取得していないと判別すると、後述するステップＳ２９に処理を進める。
【００７１】
一方、未通過者情報を取得したと判別した場合に、映像記録装置２１は、上述した図４（ａ）に示すような映像検索画面を表示し、指定される任意のグリップ時刻を受け付ける（ステップＳ２６）。
そして、グリップ時刻を受け付けると、映像記録装置２１は、指定されたグリップ時刻が合成された競技者ＲＮの映像を検索して表示する（ステップＳ２７）。つまり、上述した図４（ｂ）に示すようなグリップ時刻が合成された競技者ＲＮの映像を表示する。
ここで、競技役員等により、未通過者情報（タグＩＤ）に対応する競技者ＲＮが、映像中のゼッケン番号や顔等により特定される。
【００７２】
なお、検索されて表示された競技ＲＮ者の映像が、未通過者情報（タグＩＤ）に対応する競技者ＲＮでない場合、再度、ステップＳ２６にてグリップ時刻を受け付け、そして、ステップＳ２７にて競技者ＲＮの映像を検索して表示する。
そして、競技役員等により、未通過者情報（タグＩＤ）に対応する競技者ＲＮとして特定されると、例えば、図４（ａ）に示すような登録ボタンが操作される。映像記録装置２１は、この操作に応答して、タグＩＤとグリップ時刻とを組合せた登録情報を生成して、データサーバ２２に送信する（ステップＳ２８）。この登録情報がデータサーバ２２に送信されると、データサーバ２２にてリザルト情報等が更新される。
【００７３】
映像記録装置２１は、競技が終了したか否かを判別する（ステップＳ２９）。そして、競技が終了していないと判別すると、映像記録装置２１は、ステップＳ２１に処理を戻し、上述したステップＳ２１〜Ｓ２９の処理を繰り返し実行する。
一方、競技が終了したと判別すると、映像記録装置２１は、競技映像記録処理を終える。
【００７４】
このような競技映像記録処理により、タグコンソール１７にて、無線タグ３０から計測タイムを受信できなかった場合（計測タイムの取りこぼしがあった場合）でも、未通過者となる競技者ＲＮを映像により確認し、グリップ時刻（計測タイム）を特定することができる。
その際、グリップ時刻を指定することにより、競技者ＲＮの映像の頭出しを行うことができ、容易に判定作業をおこなうことができる。
この結果、競技者個々のタイムを映像と共に記録することができる。  
【００７５】
上記の実施の形態では、撮影装置２０が競技者ＲＮの正面の映像となる１つの撮影エリアだけを撮影する場合について説明したが、撮影装置２０を複数配置して、それぞれ異なる撮影エリアを撮影してもよい。
例えば、図９（ａ）に示すように、撮影装置２０ａが撮影エリアＡ（競技者ＲＮの正面の映像）を撮影し、撮影装置２０ｂが撮影エリアＢ（競技者ＲＮの側面の映像）を撮影してもよい。
そして、映像記録装置２１は、これらの映像に、タイマコンソール１１から供給されるグリップ時刻を合成して記録する。
この場合、競技者ＲＮの先行着等も判別することができる。
【００７６】
また、図９（ｂ）に示すように、例えば、走行路を複数のゾーンに分割し、各ゾーンをそれぞれ撮影装置２０ａ〜２０ｎがそれぞれ撮影するようにしてもよい。
そして、映像記録装置２１は、これらの映像に、タイマコンソール１１から供給されるグリップ時刻を合成して記録する。
この場合、競技者ＲＮが走行するコースがそれぞれ分かれている場合に、それぞれの競技者ＲＮを撮影することができる。
【００７７】
上記の実施の形態では、ランニングタイム送信機１５からランニングタイムを無線タグ３０に向けて送信し、無線タグ３０の計時ユニット３４にてランニングタイムに同期した時刻を計時する場合について説明した。
しかしながら、ランニングタイム送信機１５から送信するのは、ランニングタイムに限られず、他の時刻情報を送信してもよい。例えば、タイマコンソール１１にて計時されている現在時刻をランニングタイム送信機１５から無線タグ３０に向けて送信し、無線タグ３０（計時ユニット３４）にてこの現在時刻に同期した時刻を計時させるようにしてもよい。
【００７８】
具体的に説明すると、スタート地点のランニングタイム送信機１５は、競技がスタートする前に、全ての無線タグ３０に向けて、ブロードキャストにて一斉に現在時刻及び、しきい値ｎを含む情報を送信する。この際、ランニングタイム送信機１５は、連続して複数回（例えば、１秒間隔で３回以上）に渡り、現在時刻等を送信する。
一方、無線タグ３０は、経時的に変化するはずの複数の現在時刻を参酌して、正当な現在時刻を計時ユニット３４に設定する。そして、現在時刻と共に送られたしきい値ｎ及び、初回設定時刻を記憶部３８に記憶する。
【００７９】
やがて競技がスタートし、競技者ＲＮが計時地点まで進むと、無線タグ３０は、計時地点のランニングタイム送信機１５から送られる現在時刻を受信する。この現在時刻を受信すると、無線タグ３０（タイム補正ユニット３３）は、受信した現在時刻に基づいて、計時ユニット３４が計時する時刻を補正する。
なおこの場合も、計時地点で受信した現在時刻と計時ユニット３４にて計時した時刻との時差が、記憶部３８に記憶したしきい値ｎよりも大きい場合に、タイム補正ユニット３３は、時刻の補正を行わない。
【００８０】
そして、無線タグ３０は、トリガ信号を検出し、特定した計測タイムを記憶部３８に記憶した後に、自発的又はポーリングに応答して、タグＩＤ及び、計測タイムを記憶部３８から読み出し、計測タイム受信機１９に送信する。
一方、タグコンソール１７は、計測タイム受信機１９を介してこれらの情報を取得すると、取得した計測タイムを、タグＩＤと共にデータサーバ２２に送信する。そして、データサーバ２２は、スタート時刻と計測タイムとから、各競技者ＲＮのタイムを特定する。
【００８１】
上記の実施の形態では、スタート地点とゴール地点とが異なる場合を一例として説明したが、スタート地点とゴール地点が同じ場合にも、同様に適用可能である。
【００８２】
上記の実施の形態では、マラソン競技を一例として説明したが、計時対象の競技は、これに限られず任意である。
例えば、駅伝、競歩、身障者車椅子ロードレース、自転車ロードレース、トライアスロン、及び、ランニングやオリエンテーション等の山岳競技等にも適宜適用可能である。
【００８３】
以上説明したように、本発明によれば、競技者個々のタイムを映像と共に記録することができる。
【図面の簡単な説明】
【００８４】
【図１】本発明の実施の形態に係る競技用記録システムの構成の一例を示す模式図である。
【図２】ポーリングリストの一例を示す模式図である。
【図３】映像記録装置の構成の一例を示すブロック図である
【図４】（ａ）が映像検索画面の一例を示す模式図であり、（ｂ）が検索された映像の一例を示す模式図である。
【図５】無線タグの構成の一例を示すブロック図である。
【図６】（ａ）が競技のスタート時における無線タグ等の動作を説明するための模式図であり、（ｂ）がポーリングリストを生成するタグコンソール等の動作を説明するための模式図である。
【図７】タグコンソールが実行する計測タイム取得処理を説明するためのフローチャートである。
【図８】映像記録装置が実行する競技映像記録処理を説明するためのフローチャートである。
【図９】（ａ），（ｂ）共に、複数台の撮影装置を設置する場合の一例を示す模式図である。
【符号の説明】
【００８５】
１    競技用計測システム
１１  タイマコンソール
１２  ＧＰＳ受信機
１３  無線通信端末
１４  時刻表示装置
１５  ランニングタイム送信機
１６  タグＩＤ受信機
１７  タグコンソール
１８  トリガ信号発生装置
１９  計測タイム受信機
２０  撮影装置
２１  映像記録装置
２２  データサーバ
３０  無線タグ
【図１】
2006053655.tif 000003
【図２】
2006053655.tif 000004
【図３】
2006053655.tif 000005
【図４】
2006053655.tif 000006
【図５】
2006053655.tif 000007
【図６】
2006053655.tif 000008
【図７】
2006053655.tif 000009
【図８】
2006053655.tif 000010
【図９】
2006053655.tif 000011